(57)【特許請求の範囲】
【請求項１】
モータがコンプレッサを回転させる空気調和機であって、
前記コンプレッサの冷媒温度と前記コンプレッサの再起動時間間隔との少なくとも一つの情報に基づいて起動制御量を決定し、決定された起動制御量を用いて前記モータを起動制御するコンプレッサ制御装置を備え、
前記起動制御量は、前記モータを起動するときの起動電流、前記モータの起動時における前記コンプレッサの最大回転速度、前記モータの起動時における前記コンプレッサの回転速度加速レート、及び前記モータの起動時における前記コンプレッサの最大回転速度保持時間であり、
前記コンプレッサ制御装置は、
モータ回転速度が前記コンプレッサの最大回転速度に到達するまで前記回転速度加速レートで増加させた駆動周波数で、前記起動電流を維持しつつ前記モータをＶ／ｆ制御し、さらに、前記コンプレッサの最大回転速度保持時間が到達するまで、前記最大回転速度の駆動周波数で前記モータをＶ／ｆ制御する
ことを特徴とする空気調和機。
【請求項２】
前記モータに流れる相電流を検出する電流センサと前記モータを駆動するインバータとをさらに備え、
前記コンプレッサ制御装置は、
前記起動電流の値と前記最大回転速度の設定値と前記回転速度加速レートの設定値を用いて、前記Ｖ／ｆ制御された電圧指令情報を出力する電圧指令演算部と、
前記電圧指令情報に基づいてＰＷＭ信号を生成し、前記インバータをＰＷＭ制御するＰＷＭ制御部と
を備えることを特徴とする請求項１に記載の空気調和機。
【請求項３】
前記冷媒温度が第１の温度閾値以上であって前記第１の温度閾値より高い第２の温度閾値以下である通常温度状態であり、かつ、前記再起動時間間隔が所定の時間間隔以下である通常時間間隔状態である場合は、前記起動電流、前記最大回転速度、前記回転速度加速レート、及び前記最大回転速度保持時間として、通常の起動制御量の値が前記電圧指令演算部に入力されることを特徴とする請求項２に記載の空気調和機。
【請求項４】
前記冷媒温度が第１の温度閾値より低い低温状態の場合、前記冷媒温度が第２の温度閾値より高い高温状態の場合、及び前記再起動時間間隔が所定の時間間隔を超過した寝込み状態の場合の何れか又はこれらが複合された場合は、前記起動電流の増加、前記最大回転速度の増加、前記回転速度加速レートの減少、及び前記最大回転速度保持時間の増加、の少なくとも一つが変更された起動制御量が前記電圧指令演算部に入力されることを特徴とする請求項２に記載の空気調和機。
【請求項５】
前記モータに巻回された巻線の抵抗値に基づいて前記コンプレッサの冷媒温度を推定する冷媒温度推定部をさらに備えたことを特徴とする請求項１乃至請求項４の何れか１項に記載の空気調和機。
【請求項６】
モータを介してコンプレッサを制御するコンプレッサ制御装置であって、
前記コンプレッサの冷媒温度と前記コンプレッサの再起動時間間隔との少なくとも一つの情報に基づいて起動制御量を決定し、決定された起動制御量を用いて前記モータを起動制御するものであり、
前記起動制御量は、前記モータを起動するときの起動電流、前記モータの起動時における前記コンプレッサの最大回転速度、前記モータの起動時における前記コンプレッサの回転速度加速レート、及び前記モータの起動時における前記コンプレッサの最大回転速度保持時間であり、
モータ回転速度が前記コンプレッサの最大回転速度に到達するまで前記回転速度加速レートで増加させた駆動周波数で、前記起動電流を維持しつつ前記モータをＶ／ｆ制御し、さらに、前記コンプレッサの最大回転速度保持時間が到達するまで、前記最大回転速度の駆動周波数で前記モータをＶ／ｆ制御する
ことを特徴とするコンプレッサ制御装置。
【発明の詳細な説明】
【技術分野】
【０００１】
本発明は、空気調和機、及びこの空気調和機に用いるコンプレッサ制御装置に関し、特に、モータにより駆動されて圧縮気体を生成するコンプレッサを制御する空気調和機、及びコンプレッサ制御装置に関する。
【背景技術】
【０００２】
従来の空気調和機は、コンプレッサ（圧縮機）を起動する場合に、起動時の環境状態や負荷状態（例えば、外気温度、熱交換器温度、吐出空気温度、及びコンプレッサの再起動時間間隔など）を考慮して、モータの起動電流、最大回転速度、及び回転速度加速レートなどの設定を行っていた。このような空気調和機は、低温環境で使用する場合の粘性の高くなった潤滑油や長期間未使用で放置された後に使用する場合の一部液化した冷媒等がトルク増大の原因となり得る。その結果、前記空気調和機は、特に起動時のトルク増大により安定した起動が困難となり、コンプレッサの保護機能により停止することが考えられる。
この点、従来の空気調和機は、基本的には、どのような環境状態や負荷状態でもコンプレッサが安定的に起動できるように、モータの起動電流や最大回転速度を高めに設定していた。しかし、従来の空気調和機は、あらかじめ設定した起動電流が多かったり、最大回転速度が高すぎたりすると、コンプレッサの起動時に音や振動が発生してしまう。したがって、従来の空気調和機は、ある程度過酷な環境状態や負荷状態でも起動でき、かつ、コンプレッサの起動時の音や振動も抑えられるように、モータの起動電流、最大回転速度、及び回転速度加速レートを試験上から決定していた。
【０００３】
また、関連技術として、コンプレッサ運転中の負荷状態に関わらずトルクリップルを吸収して、コンプレッサの動作時に生じる音や振動を抑制する技術が開示されている（例えば、特許文献１参照）。この技術は、低負荷時と高負荷時とでそれぞれ個別に設定されたトルク制御パターンに基づいてトルク制御を行うように構成されており、トルクリップルを効果的に吸収してコンプレッサの動作時の音や振動を減少させている。
【先行技術文献】
【特許文献】
【０００４】
【特許文献１】特開２００９−４４８８１号公報
【発明の概要】
【発明が解決しようとする課題】
【０００５】
しかしながら、特許文献１の技術は、コンプレッサの運転中に生じる音や振動を減少させることはできるが、コンプレッサの起動時に発生する音や振動を抑制することは考慮されていない。また、特許文献１の技術は、前記したように、予め、試験上から、過酷な環境状態や負荷状態でも起動ができて、かつ音や振動も抑えられるように、モータの起動電流、最大回転速度、及び回転速度加速レートの起動制御量が設定されていたとしても、市場での使用条件は想定外の環境状態や負荷状態となることもある。すなわち、起動制御量を設定した空気調和機は、市場（実際のフィールド）での使用条件下では、必ずしも試験上で想定した冷媒温度や再起動時間の範囲内にあるとは限らない。そのため、実際のフィールドでの使用状態においては、想定した使用条件の範囲外の環境状態や負荷状態が発生して、コンプレッサが起動できなかったり、起動できたとしても起動時の音や振動を抑制できないなどの不具合が発生したりすることがある。
【０００６】
本発明は、このような事情に鑑みてなされたものであり、より適切な起動制御量を設定することにより、円滑に起動させることができ、かつ起動時の音や振動を抑制することができる空気調和機、及びコンプレッサ制御装置を提供することを目的とする。
【課題を解決するための手段】
【０００７】
前記目的を達成するために、本発明は、モータがコンプレッサを回転させる空気調和機であって、前記コンプレッサの冷媒温度と前記コンプレッサの再起動時間間隔との少なくとも一つの情報に基づいて起動制御量を決定し、決定された起動制御量を用いて前記モータを起動制御するものであり、前記起動制御量は、前記モータを起動するときの起動電流、前記モータの起動時における前記コンプレッサの最大回転速度、前記モータの起動時における前記コンプレッサの回転速度加速レート、及び前記モータの起動時における前記コンプレッサの最大回転速度保持時間であり、モータ回転速度が前記コンプレッサの最大回転速度に到達するまで前記回転速度加速レートで増加させた駆動周波数で、前記起動電流を維持しつつ前記モータをＶ／ｆ制御し、さらに、前記コンプレッサの最大回転速度保持時間が到達するまで、前記最大回転速度の駆動周波数で前記モータをＶ／ｆ制御することを特徴とする。
【０００８】
ここで、前記起動制御量は、前記モータを起動するときの起動電流、前記モータの起動時における前記コンプレッサの最大回転速度、前記モータの起動時における前記コンプレッサの回転速度加速レート、及び前記モータの起動時における前記コンプレッサの最大回転速度保持時間、のうちの少なくとも一つであることが好ましい。
【０００９】
なお、冷媒温度は、前記モータに巻回された巻線の巻線抵抗値に基づいて前記コンプレッサの冷媒温度を推定することが望ましい。
【発明の効果】
【００１０】
本発明の空気調和機、及びコンプレッサ制御装置によれば、より最適な起動電流や回転速度によってモータを滑らかに起動させることができる。その結果、コンプレッサの起動時の音や振動を低減させることができる。
【図面の簡単な説明】
【００１１】
【図１】本発明の第１実施形態に係る空気調和機であって、モータに相電流検出センサを備え、起動時にＶ／ｆ制御を行う場合の回路構成図である。
【図２】本発明の第１実施形態に係る空気調和機のコンプレッサ制御装置の構成図である。
【図３】モータの巻線抵抗値を推定するためのブロック図である。
【図４】コンプレッサ制御装置におけるモータの起動からフィードバック制御に至るまでの相電流波形である。
【図５】コンプレッサ制御装置におけるモータの各種状態ごとの起動制御量の設定内容（起動設定内容）を示すテーブルであり、（ａ）は起動設定内容、（ｂ）は各種状態を示す。
【図６】起動時にＶ／ｆ制御を行う一般的なコンプレッサ制御装置における、モータの起動からフィードバック制御に至るまでの起動処理シーケンスを示すフローチャートである。
【図７】起動時にＶ／ｆ制御を行う本発明の実施形態に係るコンプレッサ制御装置における、モータの起動からフィードバック制御に至るまでの起動処理シーケンスを示すフローチャートである。
【図８】コンプレッサ状態の判定処理（ステップＳ０）の詳細な流れを示すフローチャートである。
【図９】本発明の第２実施形態に係る空気調和機であって、入力電流検出センサを備え、起動時にＶ／ｆ制御を行う場合の回路構成図である。
【図１０】本発明の第２実施形態に係る空気調和機のコンプレッサ制御装置の構成図である。
【発明を実施するための形態】
【００１２】
《概要》
本発明に係る空気調和機は、コンプレッサ制御装置（制御部）と、インバータ（三相インバータ）と、モータとを備え、コンプレッサ制御装置が起動時のモータの位置決めの後に、Ｖ／ｆ制御を行い、さらにベクトル制御を行うように構成されている。また、空気調和機は、室外機のコンプレッサを起動、又は再起動する場合に、コンプレッサの各種状態（冷媒温度及び再起動時間間隔）から該コンプレッサの負荷状態を推定する。そして、コンプレッサ制御装置は、推定したコンプレッサの負荷状態に応じて最適な起動制御量（起動電流、最大回転速度、回転速度加速レート、及び最大回転速度保持時間の何れか一つ又はこれらの複数）を設定してコンプレッサの制御を行う。
【００１３】
具体的には、コンプレッサ制御装置は、コンプレッサの各種状態として、コンプレッサを回転駆動させるモータの巻線抵抗から冷媒温度を予測したり、計時手段（タイマ）にてコンプレッサの再起動時間間隔をカウントして再起動するまでの時間間隔を判断したりして（つまり、再起動時間間隔の長い状態、いわゆる寝込み状態であるか否かを判断して）、コンプレッサの負荷状態（起動トルク）を推定し、負荷状態の推定結果から起動に最適な起動制御量としてモータの起動電流、起動時におけるＶ／ｆ制御の最大回転速度、起動時におけるＶ／ｆ制御の回転速度加速レート、及び起動時におけるＶ／ｆ制御の最大回転速度保持時間を設定してコンプレッサの起動制御を行う。
【００１４】
このようにして、コンプレッサ制御装置は、コンプレッサの起動時の負荷状態を推定して、最適な起動制御量（起動電流や回転速度）を設定することにより、滑らかな起動動作を行うことができる。したがって、空気調和機は、モータの起動電流や回転速度の不足に起因するコンプレッサの起動不良を回避することもできる。さらには、モータの起動電流や回転速度の過多によるコンプレッサの起動時の音や振動を回避することができる。また、コンプレッサの起動不良や起動時の音や振動を回避することによって、市場における空気調和機のクレーム要因を削減することもできる。
【００１５】
以下、本発明に係る空気調和機、及びコンプレッサ制御装置の実施形態の幾つかについて図面を参照しながら詳細に説明する。なお、各実施形態を説明するための全図において、同一の要素は原則として同一の符号を付し、その繰り返しの説明は省略する。
【００１６】
《第1実施形態》
〈第１実施形態に係る空気調和機の構成〉
図1は、本発明の第１実施形態に係る空気調和機の回路構成図であり、相電流検出センサを備え、起動時にＶ／ｆ制御を行う場合を示している。
図１に示すように、空気調和機１ａは、ＤＣ電源装置３、ＩＰＭ（Intelligent Power Module：高機能パワーモジュール）５、モータ７、シャント抵抗１３ａ、ＣＴセンサ１５ｖ、１５ｗ、誘起電圧検出部１６、及びコンプレッサ制御装置（制御部）としてのマイコン１７を備え、モータ７がコンプレッサ９を駆動させるように構成されている。なお、モータ７とコンプレッサ９とは、モータ７の冷却のため構造的に一体化されていることが多い。
【００１７】
ＤＣ電源装置３は、図示しない商用電源から直流電圧を生成し、生成された直流電圧をＩＰＭ５に印加する装置であり、ＩＰＭ５に直流電力を供給する。
ＩＰＭ５は、ＰＷＭ（Pulse Width Modulation）駆動を行う三相インバータ（図示せず）を備えて構成されている。また、シャント抵抗１３ａは、過電流検出用の相電流検出信号をＩＰＭ５の過電流検出回路（図示せず）に送信する。さらに、ＣＴセンサ１５ｖ、１５ｗは、モータ７に流れるＶ相、Ｗ相の相電流を検出する相電流検出センサである。なお、相電流の和はゼロであるので、Ｕ相の相電流は演算可能である。また、誘起電圧検出部１６は、モータ７の回転子の回転位置を検出する回転子位置検出部として機能し、所定の位相角で相間の誘起電圧を検出する。
【００１８】
図２は、本発明の第１実施形態に係る空気調和機のコンプレッサ制御装置の構成図である。
マイコン１７は、ＣＴセンサ１５ｖ、１５ｗが検出したモータ７のＶ相、Ｗ相の相電流情報を入力する電流検出部１７ａ１と、モータ７の起動電流指令と電流検出部１７ａ１からのＶ相、Ｗ相の相電流情報とを入力する電流制御部１７ｂと、最大回転速度指令とＶ／ｆ制御の回転速度加速レート指令とを入力し、電流制御部１７ｂからの電流制御情報に基づいて電圧指令演算を行う電圧指令演算部１７ｃと、電圧指令演算部１７ｃからの電圧指令に基づいて生成されたＰＷＭ信号によってＩＰＭ５の三相インバータをＰＷＭ制御するＰＷＭ制御部１７ｄと、起動制御量演算部１８と、負荷状態判定部１０と、冷媒温度推定部１２と、タイマ１１とを備えて構成されている。電圧指令演算部１７ｃは、位置決め後の起動時にモータ７の回転子の位置決めを行う位置決め制御部１９ａと、起動時にＶ／ｆ制御を行うＶ／ｆ制御部１９ｂと、通常時のモータ７の回転速度が目標回転速度の設定値になるように帰還制御するベクトル制御部１９ｃとを備える。
【００１９】
なお、モータ７のＶ／ｆ制御とは、モータ７に印加する電圧Ｖと駆動周波数ｆとの比を一定にする制御（回転速度や回転位置を帰還させないオープンループ制御）であり、Ｖ／ｆを一定にすることによって励磁電流が一定になり、磁気飽和を防ぐことができる。なお、Ｖ／ｆ制御は、励磁電流が一定であるので、トルクがほぼ一定になる。なお、回転速度ωは、駆動周波数ｆと極数ｐとで決まる。
また、誘起電圧検出部１６は、モータ７に発生する誘起電圧に基づいて回転子位置（位相）を正確に検出する。さらに、ＰＷＭ制御部１７ｄは、誘起電圧検出部１６が誘起電圧によってモータ７の回転子位置を検出するので、モータ回転速度が演算され、位置センサレスでモータ７をベクトル制御することができる。
【００２０】
〈第１実施形態に係る空気調和機の動作〉
本実施形態に係る空気調和機１ａは、ＣＴセンサ１５ｖ、１５ｗが検出したＶ相、Ｗ相の相電流、及び誘起電圧検出部１６が検出した回転子位置に基づいて、ＩＰＭ５に内蔵された三相インバータをＰＷＭ制御してモータ７を駆動制御するように構成されている。このとき、起動制御量演算部１８は、起動直前のコンプレッサ９の各種状態（冷媒温度、再起動時間間隔）から空気調和機１０の室外機に配設されているコンプレッサ９の負荷状態を推定する。そして、電圧指令演算部１７ｃは、推定した負荷状態からコンプレッサ９を起動するのに最適な起動制御量を求めてモータ７の制御に反映させる。このとき、起動直前のコンプレッサ９の各種状態である冷媒温度及び再起動時間間隔は、以下に示すような条件から判断する。
【００２１】
（冷媒温度の推定）
コンプレッサ９の冷媒温度は、コンプレッサ９の内部に配設されているモータ７の巻線に直流電圧を印加し、冷媒温度推定部１２がその巻線に流れる直流電流の値からモータ７の巻線抵抗値を算出することにより求められる。そして、冷媒温度推定部１２は、算出された巻線抵抗値を用いて、巻線線材の温度係数から巻線温度（つまり、巻線周囲の冷媒温度）を推定する。
【００２２】
図３は、図１に示すモータ７の巻線抵抗値を推定するためのブロック図である。図３に示すように、冷媒温度推定部１２は、モータ７に印加するｄ軸電圧設定値（Ｖｄ）と、ｄ軸電流測定値（Ｉｄ）とモータ７の巻線抵抗値（Ｒ）の積（Ｒ・Ｉｄ）とが略一致するようにフィードバック制御を行う。そして、冷媒温度推定部１２は、フィードバック制御された出力値を積分器（Ｉ）で積分すると共に一定の係数Ｋを掛けた値（巻線抵抗値（Ｒ））を出力する。なお、図３のフィードバック制御における積分時定数は、算出される巻線抵抗値（Ｒ）を安定化させるためにできるだけ長くすることが望ましい。
【００２３】
次に、コンプレッサ９を駆動するためのモータ７の巻線線材は銅であるので、冷媒温度推定部１２は、銅の温度係数から温度による巻線抵抗値（Ｒ）の変化を利用して、次の式（１）に示す温度推定式によりモータ７の巻線周囲温度（つまり、冷媒温度）Ｔａを推定する。
Ｔａ＝〔（Ｒａ−Ｒｂ）／Ｒｂ〕×（２３４．５＋Ｔｂ）＋Ｔｂ            （１）
但し、Ｔａは求める冷媒温度（℃）であり、Ｔｂは基準冷媒温度（℃）であり、Ｒａは求める冷媒温度における巻線抵抗値（Ω）であり、Ｒｂは基準冷媒温度における巻線抵抗値（Ω）であり、
１／（２３４．５＋Ｔｂ）は基準冷媒温度Ｔｂ（℃）における銅の温度係数（Ω／℃）である。
【００２４】
ここで、負荷状態判定部１０は、前記した式（１）に基づいて推定された冷媒温度Ｔａから、次のような３種類の負荷状態の何れかを判断する。なお、Ｔａは冷媒温度、α、βは所定の温度であってα＜βとする。
【００２５】
（１）負荷状態判定部１０は、冷媒温度が低温状態（Ｔａ＜α）のときは、例えば、真冬における長時間停止後の空気調和機１ａの再起動時のように、冷媒は低温状態にあると推定されてコンプレッサ９の起動時の負荷は重いと判断する。
（２）負荷状態判定部１０は、冷媒温度が通常状態（α≦Ｔ≦β）のときは、空気調和機１ａを停止した後の再起動、あるいは真冬以外の季節の温度環境下における再起動であって、コンプレッサ９の起動時の負荷は比較的軽いと判断する。
（３）負荷状態判定部１０は、冷媒温度が高温状態（β＜Ｔ）のときは、高温環境下における再起動のような高負荷状態であって、コンプレッサ９の起動時の負荷は重いと判断する。
【００２６】
（再起動時間間隔の測定）
タイマ１１は、コンプレッサ９の再起動時間間隔を測定するものであり、図２示すタイマ１１が、コンプレッサ９の停止から次の起動（再起動）までの時間をカウントする。この再起動時間間隔は、次の２種類の負荷状態を想定することができる。なお、ｔは再起動時間間隔であり、γは所定の時間とする。
（１）負荷状態判定部１０は、コンプレッサ９の再起動時間間隔が通常状態（ｔ≦γ）のときは、コンプレッサ９の再起動時間間隔が一定時間以下の場合であって、単なる通常の再起動で負荷は比較的軽いと判断する。
（２）負荷状態判定部１０は、コンプレッサ９の再起動時間間隔が長い寝込み状態（ｔ＞γ）のときは、コンプレッサ９の再起動時間間隔が一定時間以上であって、通常より起動時の負荷が重いと判断する。
【００２７】
ここで、コンプレッサ９の起動直前の各種状態の判断は、冷媒温度Ｔａの推定値のみ、又は、再起動時間間隔の測定値のみで行うこともできるが、冷媒温度の推定値と再起動時間間隔の測定値を複合した状態で行うこともできる。
【００２８】
（起動設定内容の決定）
次に、起動制御量演算部１８は、前記した負荷状態判定部１０によるコンプレッサ９の負荷状態の判断結果を用いて、コンプレッサ９の起動設定内容（すなわち、起動制御量の設定内容）を決定する。このとき、コンプレッサ９の負荷状態の判断結果から可変させる起動設定内容（起動制御量の設定内容）は次の４種類とする。すなわち、起動設定内容は、
（１）起動電流、（２）Ｖ/ｆ制御の最大回転速度、（３）Ｖ/ｆ制御の回転速度加速レート、（４）Ｖ/ｆ制御の最大回転速度保持時間、
の４種類である。
【００２９】
なお、（１）の起動電流はコンプレッサ９の回転トルクに影響する。（２）のＶ/ｆ制御の最大回転速度は制御の切り替え時に影響する。（３）のＶ/ｆ制御の回転速度加速レートはＶ/ｆ制御時におけるモータ７の追従性に影響する。（４）のＶ/ｆ制御の最大回転速度保持時間はＶ/ｆ制御時の安定性及び制御の切り替え時に影響する。したがって、起動制御量演算部１８は、コンプレッサ９の負荷状態（冷媒温度、又は再起動時間間隔）の判断結果から、それぞれ次のような内容の起動制御量の設定を行う。
【００３０】
（１）冷媒温度のみの判断で起動制御量の設定を行う場合、
ａ．起動制御量演算部１８は、冷媒温度が通常状態（α≦Ｔ≦β）のとき、通常の起動制御量の設定を行う。
ｂ．起動制御量演算部１８は、冷媒温度が低温状態（Ｔ＜α）、又は高温状態（β＜Ｔ）のとき、次のような４つの起動制御量の設定を行う。すなわち、起動制御量演算部１８は、
１．モータ７の起動電流を増加させる。
２．Ｖ/ｆ制御の最大回転速度を増加させる。
３．Ｖ/ｆ制御の回転速度加速レートを減少させる。
４．Ｖ/ｆ制御の最大回転速度保持時間を増加させる。
【００３１】
なお、これらの４つの起動制御量の設定内容は１つ以上が設定される。また、上記の４つの起動制御量を設定するときの条件は、モータ７の特性や負荷の状況によって適宜決定される。さらに、上記４つの起動制御量の設定内容の各設定値は、冷媒温度が低温状態（Ｔ＜α）のときと高温状態（β＜Ｔ）のときとで別々の値にしてもよい。
【００３２】
（２）再起動時間間隔のみの判断で起動制御量の設定を行う場合
ａ．起動制御量演算部１８は、再起動時間間隔が通常状態（ｔ≦γ）のとき、通常の起動制御量を設定する。
ｂ．起動制御量演算部１８は、再起動時間間隔が長い寝込み状態（ｔ＞γ）のとき、次のような４つの起動制御量を設定する。すなわち、起動制御量演算部１８は、
１．モータ７の起動電流を増加させる。
２．Ｖ/ｆ制御の最大回転速度を増加させる。
３．Ｖ/ｆ制御の回転速度加速レートを減少させる。
４．Ｖ/ｆ制御の最大回転速度保持時間を増加させる。
なお、起動制御量演算部１８は、これらの４つの起動制御量の１つ以上を設定する。また、上記の４つの起動制御量を設定するときの条件は、モータ７の特性や負荷の状況によって適宜決定する。
【００３３】
（３）冷媒温度と再起動時間間隔との複合によって起動制御量の設定を行う場合、
ａ．起動制御量演算部１８は、冷媒温度が通常状態（α≦Ｔ≦β）であって、かつ再起動時間間隔が通常状態（ｔ≦γ）のとき、通常の起動制御量を設定する。
ｂ．起動制御量演算部１８は、冷媒温度が低温状態（Ｔ＜α）又は高温状態（β＜Ｔ）のとき、あるいは再起動時間間隔が寝込み状態（ｔ＞γ）のとき、すなわち、冷媒温度か再起動時間間隔の何れかが通常状態でないときは、次のような４つの起動制御量を設定する。
１．モータ７の起動電流を増加させる。
２．Ｖ/ｆ制御の最大回転速度を増加させる。
３．Ｖ/ｆ制御の回転速度加速レートを減少させる。
４．Ｖ/ｆ制御の最大回転速度保持時間を増加させる。
なお、これらの４つの設定内容は１つ以上が実施される。また、上記の４つの起動制御量の変更条件は、モータ７の特性や負荷の状況によって適宜決定される。さらに、上記４つの起動制御量の各設定値は、冷媒温度と再起動時間間隔とのそれぞれの判定結果の状態により、別々の値にしてもよい。
【００３４】
すなわち、起動制御量演算部１８は、冷媒温度推定部１２が推定したコンプレッサ９の冷媒温度の判定結果、タイマ１１がカウントしたコンプレッサ９の再起動時間間隔の判定結果、及び冷媒温度と再起動時間間隔とを複合した判定結果の何れか一つの判定結果に基づいて、モータ７を起動するときの起動制御量を設定する。そして、マイコン１７は、モータ７（すなわち、コンプレッサ９）の起動制御を最適に行う。
【００３５】
具体的には、何れかの前記判定結果から得られたＶ/ｆ制御の最大回転速度指令、及びＶ/ｆ制御の回転速度加速レート指令が、マイコン１７の電圧指令演算部１７ｃに入力される。
【００３６】
これによって、Ｖ／ｆ制御部１９ｂは、電流制御部１７ｂに入力された起動電流指令及び電流検出部１７ａ１からの相電流情報と、電圧指令演算部１７ｃに入力された最大回転速度指令、及び回転速度加速レート指令とに基づいて、Ｖ／ｆ制御された電圧指令値を生成する。ＰＷＭ制御部１７ｄは、電圧指令演算部１７ｃ（Ｖ／ｆ制御部１９ｂ）が生成した電圧指令値に基づいて、ＰＷＭ信号を生成し、モータ７の起動時においてＩＰＭ５の三相インバータをＰＷＭ制御する。その結果、コンプレッサ９の起動時において、最適な起動制御量によりモータ７の起動電流を滑らかにして起動動作を行うことができる。
【００３７】
図４は、図１に示す空気調和機１ａにおけるモータ７の起動からベクトル制御に至るまでの相電流波形である。図４の横軸は、時間（３ｓｅｃ／ｄｉｖ）を示し、縦軸は電流（５Ａ／ｄｉｖ）を示している。すなわち、空気調和機１ａは、時刻ｔ０で起動してから起動電流が所定のレベルまで到達する時刻ｔ１までの間にモータ７の回転子の位置決めを行う。そして、空気調和機１ａは、時刻ｔ１以降にオープンループによるＶ／ｆ制御を行う。ここで、時刻ｔ１から時刻ｔ２までの期間は、モータ７の回転速度が加速する加速期間であり、時刻ｔ２から時刻ｔ３までは最大回転速度による一定速度期間である。次に、空気調和機１ａは、時刻ｔ３以降に通常のベクトル制御を行う。
【００３８】
ここで、本実施形態の空気調和機１ａは、時刻ｔ０の起動時から時刻ｔ３のＶ／ｆ制御終了までの期間において、前記したコンプレッサ９の各種状態（冷媒温度及び再起動時間間隔）から起動制御量（起動電流、Ｖ/ｆ制御の最大回転速度、Ｖ/ｆ制御の回転速度加速レート、及びＶ/ｆ制御の最大回転速度保持時間）を設定して最適な起動制御を行っている。
【００３９】
起動制御量演算部１８は、モータ７の起動電流の起動制御量が、冷媒温度Ｔが通常状態（α≦Ｔ≦β）であって、かつ再起動時間間隔ｔが通常状態（ｔ≦γ）のときに、通常電流（例えば、４Ａ）により起動制御量の設定を行う。しかし、冷媒温度Ｔが通常状態（α≦Ｔ≦β）であっても再起動時間間隔ｔが寝込み状態（ｔ＞γ）のとき、及び再起動時間間隔ｔが通常状態（ｔ≦γ）であるか寝込み状態（ｔ＞γ）であるかに関わらず冷媒温度Ｔが低温状態（Ｔ＜α）又は高温状態（β＜Ｔ）のときは、起動電流を高め（例えば、８Ａ）にするように起動制御量を設定する。
【００４０】
起動制御量演算部１８は、Ｖ/ｆ制御の最大回転速度の起動制御量が、冷媒温度Ｔが通常状態（α≦Ｔ≦β）であって、かつ再起動時間間隔ｔが通常状態（ｔ≦γ）のときは、通常の最大回転速度（例えば、７ｒｐｓ）を設定する。また、最大回転速度（起動制御量）は、冷媒温度Ｔが通常状態（α≦Ｔ≦β）であっても再起動時間間隔ｔが寝込み状態（ｔ＞γ）のとき、及び冷媒温度Ｔが低温状態（Ｔ＜α）又は高温状態（β＜Ｔ）のときは、通常の最大回転速度より高め（例えば、７ｒｐｓ超）に設定する。
【００４１】
起動制御量演算部１８は、Ｖ/ｆ制御の回転速度加速レートの起動制御量が、冷媒温度Ｔが通常状態（α≦Ｔ≦β）であって、かつ再起動時間間隔ｔが通常状態（ｔ≦γ）のときは、通常の加速レート（例えば、１．５ｒｐｓ／ｓｅｃ）を設定する。また、回転速度加速レート（起動制御量）は、冷媒温度Ｔが通常状態（α≦Ｔ≦β）であっても再起動時間間隔ｔが寝込み状態（ｔ＞γ）のとき、及び冷媒温度Ｔが低温状態（Ｔ＜α）又は高温状態（β＜Ｔ）のときは、通常の加速レートより低め（例えば、１．５ｒｐｓ／ｓｅｃ以下）に設定する。
【００４２】
起動制御量演算部１８は、Ｖ/ｆ制御の最大回転速度保持時間の起動制御量が、冷媒温度が通常状態（α≦Ｔ≦β）であって、かつ再起動時間間隔が通常状態（ｔ≦γ）のときは、通常の最大回転速度保持時間（例えば、１．０ｓｅｃ）を設定する。また、最大回転速度保持時間（起動制御量）は、冷媒温度が通常状態（α≦Ｔ≦β）であっても再起動時間間隔ｔが寝込み状態（ｔ＞γ）のとき、及び冷媒温度が低温状態（Ｔ＜α）又は高温状態（β＜Ｔ）のときは、通常の最大回転速度保持時間より長め（例えば、１．０ｓｅｃ以上）に設定する。
【００４３】
図５は、コンプレッサ制御装置（マイコン１７）におけるモータ７の各種状態ごとの起動制御量の設定内容を示すテーブルである。図５（ａ）は、起動制御量の設定内容（起動設定内容）を示し、図５（ｂ）は各種状態を示す。すなわち、図５（ｂ）に示す各種状態は設定条件の設定内容を示し、条件１として冷媒温度Ｔ（℃）が低温（Ｔ＜α）、通常（α≦Ｔ≦β）、及び高温（β＜Ｔ）のときの設定内容を示している。また、条件２としてコンプレッサの再起動時間間隔が通常（ｔ≦γ）又は寝込み（ｔ＞γ）のときの設定内容を示している。
【００４４】
また、図５（ａ）に示す起動制御量の設定内容（起動設定内容）は、同図（ｂ）に示す条件１と条件２との設定条件ごとの起動設定内容（起動電流、Ｖ/ｆ制御の最大回転速度、Ｖ/ｆ制御の回転速度加速レート、及びＶ/ｆ制御の最大回転速度保持時間）を示している。すなわち、冷媒温度Ｔ（℃）が通常（α≦Ｔ≦β）であり（条件１）、且つ再起動時間間隔ｔが通常（ｔ≦γ）のとき（条件２）は、全ての起動設定内容は設定Ａとしている。また、冷媒温度Ｔ（℃）が通常（α≦Ｔ≦β）であり（条件１）、且つ再起動時間間隔ｔが寝込み（ｔ＞γ）のとき（条件２）は、全ての起動設定内容は設定Ｂとしている。
【００４５】
冷媒温度Ｔ（℃）が低温（Ｔ＜α）であり（条件１）、且つ再起動時間間隔ｔが通常（ｔ≦γ）のときは、全ての起動設定内容は設定Ｃとしている。冷媒温度Ｔ（℃）が低温（Ｔ＜α）であり（条件１）、且つ再起動時間間隔ｔが寝込み（ｔ＞γ）のとき（条件２）は、全ての起動設定内容は設定Ｄとしている。冷媒温度Ｔ（℃）が高温（β＜Ｔ）であり（条件１）、且つ再起動時間間隔ｔが通常（ｔ≦γ）のとき（条件２）は、全ての起動設定内容は設定Ｅとしている。冷媒温度Ｔ（℃）が高温（β＜Ｔ）であり（条件１）、且つ再起動時間間隔ｔが寝込み（ｔ＞γ）のとき（条件２）は、全ての起動設定内容は設定Ｆとしている。なお、図５に示すテーブルの具体的な用途は、後記するフローチャートで詳細に説明する。
【００４６】
図６は、起動時にＶ／ｆ制御を行う一般的な空気調和機における、モータ７の起動からフィードバック制御（ベクトル制御）に至るまでの起動処理シーケンスを示すフローチャートである。以下、図４に示す相電流波形を参照しながら図６のフローチャートの流れを説明する。
図６において、位置決め制御部１９ａは、モータ７の位置決め処理を開始する（ステップＳ１）。そして、起動制御量演算部１８は、モータ７の起動電流が規定電流に到達したか否かの判定を行う（ステップＳ２）。ここで、モータ７の起動電流が未だ規定電流に到達していなければ（ステップＳ２でFalse）、起動制御量演算部１８は、モータ７の起動電流を増加（ｕｐ）させる（ステップＳ３）。
【００４７】
やがて、モータの起動電流が規定電流まで到達したら（ステップＳ２でTrue）、Ｖ／ｆ制御部１９ｂは、Ｖ/ｆ制御の処理を開始する（ステップＳ４）。これによって、モータ７の回転が加速するので、電圧指令演算部１７ｃは、モータ７が規定の回転速度（回転数）（Ｖ/ｆ制御の最大回転速度）に到達したか否かの判定を行う（ステップＳ５）。未だ、モータ７の回転速度が規定の回転速度（Ｖ/ｆ制御の最大回転速度）に到達していなければ（ステップＳ５でFalse）、Ｖ／ｆ制御部１９ｂは、モータ７の回転速度を上昇（ｕｐ）させる（ステップＳ６）。
【００４８】
やがて、モータ７の回転速度が規定の回転速度（Ｖ/ｆ制御の最大回転速度）に到達したら（ステップＳ５でTrue）、Ｖ／ｆ制御部１９ｂは、Ｖ/ｆ制御の最大回転速度が規定時間（一定期間）経過したか否かの判定を行う（ステップＳ７）。ここで、Ｖ/ｆ制御の最大回転速度が規定時間経過していなければ（ステップＳ７でFalse）、Ｖ／ｆ制御部１９ｂは、規定の時間が経過するまで待つが、Ｖ/ｆ制御の最大回転速度が規定時間経過すれば（ステップＳ７でTrue ）、ベクトル制御部１９ｃは、ベクトル制御（フィードバック制御）に移行して（ステップＳ８）、処理を終了する。
【００４９】
なお、これらの処理において、規定電流（起動電流）、規定回転速度（Ｖ/ｆ制御の最大回転速度）、及び回転速度の上昇率（Ｖ/ｆ制御の回転速度加速レート）は、それぞれ、あらかじめ試験上で決めた固定値である。
【００５０】
図７は、起動時にＶ／ｆ制御を行う本発明の実施形態に係る空気調和機１ａにおける、モータ７の起動からフィードバック制御に至るまでの起動処理シーケンスを示すフローチャートである。図７に示すフローチャートは、図６に示すフローチャートに対して、前記した各種状態（冷媒温度及び再起動時間間隔）からコンプレッサ９の起動制御量の設定を行うためのコンプレッサ起動状態の判定処理（コンプ状態判定処理）（ステップＳ０）を追加したものである。したがって、図６のフローチャートと同じ処理であるステップＳ１からステップＳ８までの処理の説明は重複を避けるために省略する。
【００５１】
図７のフローチャートにおいては、規定電流（起動電流）、規定回転速度（Ｖ/ｆ制御の最大回転速度）、及び回転速度の上昇率（Ｖ/ｆ制御の回転速度加速レート）は、それぞれ、起動時におけるコンプレッサ９の負荷状態の判定処理（ステップＳ０）によって決定されたものである。なお、起動時におけるコンプレッサ９の負荷状態の判定処理を行うステップＳ０については、図８のフローチャートで詳細に説明する。
【００５２】
図８は、図７に示すコンプレッサ９の負荷状態の判定処理（ステップＳ０）の詳細な流れを示すフローチャートである。図８において、負荷状態判定部１０がコンプレッサ状態の判定処理を開始すると（ステップＳ０）、冷媒温度推定部１２は、モータ巻線に判定用通電を行い（ステップＳ１１）、冷媒温度推定部１２は、図３に示すブロック図を用いてモータ７の巻線抵抗値の推定処理を行う（ステップＳ１２）。冷媒温度推定部１２は、モータ７の巻線抵抗値から前記した式（１）を用いて冷媒温度を算出する（ステップＳ１３）。
【００５３】
そして、負荷状態判定部１０は、算出された冷媒温度Ｔが低い方の設定温度である規定温度１（α）以上であるか否かを判定する（ステップＳ１４）。ここで、冷媒温度Ｔが規定温度１（α）以上でなければ（ステップＳ１４でFalse）、負荷状態判定部１０は、再起動時間間隔ｔが規定時間（γ）を経過したか否かを判定する（ステップＳ１５）。そして、再起動時間間隔ｔが規定時間（γ）を経過していなければ（ステップＳ１５でFalse）、図５（ａ）のテーブルに基づいて、冷媒温度Ｔ（℃）が低温（Ｔ＜α）であり（条件１）、且つ再起動時間間隔ｔが通常（ｔ≦γ）であるので（条件２）、負荷状態判定部１０は、全ての起動設定内容（起動電流、Ｖ/ｆ制御の最大回転速度、Ｖ/ｆ制御の回転速度加速レート、及びＶ/ｆ制御の最大回転速度保持時間）を設定Ｃにする（ステップＳ１６）。
【００５４】
一方、ステップＳ１５で再起動時間間隔ｔが規定時間（γ）を経過していれば（ステップＳ１５でTrue）、条件１の冷媒温度Ｔ（℃）が低温（Ｔ＜α）で条件２の再起動時間間隔ｔが寝込み（ｔ＞γ）であるので、負荷状態判定部１０は、全ての起動設定内容（起動電流、Ｖ/ｆ制御の最大回転速度、Ｖ/ｆ制御の回転速度加速レート、及びＶ/ｆ制御の最大回転速度保持時間）を設定Ｄにする（ステップＳ１７）。
【００５５】
また、ステップＳ１４で冷媒温度Ｔが低い方の設定温度である規定温度１（α）以上であれば（ステップＳ１４でTrue）、負荷状態判定部１０は、その冷媒温度Ｔが高い方の設定温度である規定温度２（β）以上であるか否かを判定する（ステップＳ１８）。ここで、冷媒温度Ｔが規定温度２（β）以上でなければ（ステップＳ１８でFalse）、負荷状態判定部１０は、再起動時間間隔ｔが規定時間（γ）を経過したか否かを判定する（ステップＳ１９）。
【００５６】
そして、再起動時間間隔ｔが規定時間（γ）を経過していなければ（ステップＳ１９でFalse）、図５（ａ）のテーブルにしたがって、冷媒温度Ｔ（℃）が通常（α≦Ｔ≦β）であり（条件１）、且つ再起動時間間隔ｔが通常（ｔ≦γ）であるので（条件２）、負荷状態判定部１０は、全ての起動設定内容（起動電流、Ｖ/ｆ制御の最大回転速度、Ｖ/ｆ制御の回転速度加速レート、及びＶ/ｆ制御の最大回転速度保持時間）を設定Ａにする（ステップＳ２０）。
【００５７】
一方、ステップＳ１９で再起動時間間隔が規定時間（γ）を経過していれば（ステップＳ１９でTrue）、図５（ａ）のテーブルにしたがえば、冷媒温度（℃）が通常（α≦Ｔ≦β）であり（条件１）、且つ再起動時間間隔ｔが寝込み（ｔ＞γ）であるので（条件２）、負荷状態判定部１０は、全ての起動設定内容（起動電流、Ｖ/ｆ制御の最大回転速度、Ｖ/ｆ制御の回転速度加速レート、及びＶ/ｆ制御の最大回転速度保持時間）を設定Ｂにする（ステップＳ２１）。
【００５８】
また、ステップＳ１８で冷媒温度Ｔが高い方の設定温度である規定温度２（β）以上であれば（ステップＳ１８でTrue）、再起動時間間隔ｔが規定時間（γ）を経過したか否かが判定される（ステップＳ２２）。ここで、再起動時間間隔ｔが規定時間（γ）を経過していなければ（ステップＳ２２でFalse）、図５（ａ）のテーブルにしたがえば、冷媒温度（℃）が高温（β＜Ｔ）であり（条件１）、且つ、再起動時間間隔が通常（ｔ≦γ）であるので（条件２）、負荷状態判定部１０は、全ての起動設定内容（起動電流、Ｖ/ｆ制御の最大回転速度、Ｖ/ｆ制御の回転速度加速レート、及びＶ/ｆ制御の最大回転速度保持時間）を設定Ｅにする（Ｓ２３）。
【００５９】
一方、ステップＳ２２で再起動時間間隔が規定時間（γ）を経過していれば（ステップＳ２２でTrue）、図５（ａ）のテーブルに基づいて、冷媒温度（℃）が高温（β＜Ｔ）であり（条件１），且つ再起動時間間隔が寝込み（ｔ＞γ）であるので（条件２）、全ての起動設定内容（起動電流、Ｖ/ｆ制御の最大回転速度、Ｖ/ｆ制御の回転速度加速レート、及びＶ/ｆ制御の最大回転速度保持時間）を設定Ｆにする（Ｓ２４）。
【００６０】
このようにして、コンプレッサ９の各種状態（冷媒温度及び再起動時間間隔）を通常温度状態、低温状態、高温状態、通常時間間隔状態、及び寝込み状態に区分して、起動設定内容（起動電流、最大回転速度、回転速度加速レート、及び最大回転速度保持時間）をそれぞれ最適に設定している。具体的には、冷媒温度Ｔが通常温度状態であって、かつ再起動時間間隔ｔが通常時間間隔状態のときのみ、それぞれの起動設定内容を通常の起動制御量に設定している。それ以外の状態のときは、起動電流を増加、最大回転速度を増加、回転速度加速レートを減少、及び最大回転速度保持時間を長めに、それぞれ設定している。これらの起動制御量の設定は、全てを同時に行ってもよいし、モータ７の特性や負荷条件によって一つ以上を実施してもよい。
【００６１】
《第２実施形態》
前記した第１実施形態は、図１に示すように、相電流検出センサであるＣＴセンサ１５ｖ、１５ｗの検出電流に基づいて相電流を検出して、ＩＰＭ５の三相インバータをＰＭＷ制御してモータ７を駆動制御する構成である。第２実施形態では、ＣＴセンサ１５ｖ、１５ｗを用いないで、入力側のシャント抵抗が検出した直流電流の瞬時値を検出することによって相電流を推定する構成である。
具体的には、図１０に示される電流検出部１７ａ２は、電圧指令演算部１７ｃが演算する電圧指令値とＰＷＭ制御部１７ｄの内部で生成される三角波のキャリア信号とを比較することにより得られるＰＷＭスイッチングパターンに基づいて、シャント抵抗が検出した直流バス電流の値が、何れの相に流れる電流値であるかを特定することにより、相電流を推定（復元）する。
このような構成においても、前記した第１実施形態と同様に、コンプレッサの各種状態（冷媒温度Ｔ、及び再起動時間間隔ｔ）から該コンプレッサの負荷状態を推定し、その負荷状態に応じて最適な起動制御量（起動電流、最大回転速度、回転速度加速レート、及び最大回転速度保持時間）を設定してコンプレッサの起動制御を行うことができる。
【００６２】
図９は、本発明の第２実施形態に係るコンプレッサ制御装置であって、入力電流検出センサを備え、起動時にＶ／ｆ制御を行い、定常時にベクトル制御を行う場合の回路構成図である。ここでは、図９に示すコンプレッサ制御装置１ｂが図１に示すコンプレッサ制御装置１ａと異なる部分のみについて説明する。図９の空気調和機１ｂは、図１に示す空気調和機１ａからＣＴセンサ１５ｖ、１５ｗを削除し、代わりに、入力側のシャント抵抗１３ｂが過電流検出と相電流検出とを兼用するように構成されている。これにより、マイコン１７Ｂの電流検出部１７ａ２が相電流の値を認識し、ＣＴセンサ１５ｖ、１５ｗを用いた場合と同様にＩＰＭ５の三相インバータをＰＭＷ制御してモータ７を駆動制御することができる。
【００６３】
この場合においても、空気調和機１ｂは、マイコン１７Ｂ（図１０）の電流制御部１７ｂ及び電圧指令演算部１７ｃが、それぞれ、モータ７の起動電流指令値、及び最大回転速度指令値と回転速度加速レート指令値を入力することにより、ＰＷＭ制御部１７ｄがＩＰＭ５の三相インバータをＰＭＷ駆動してモータ７の起動制御を行うように構成されている。このような起動制御については前記した第１実施形態と同じであるので、重複する説明は省略する。
【００６４】
以上、本発明に係る空気調和機、及びコンプレッサ制御装置の実施形態について具体的に説明したが、本発明は前記した各実施形態の内容に限定されるものではなく、その要旨を逸脱しない範囲で種々の変更が可能であることは言うまでもない。また、本発明によれば、空気調和機、及びコンプレッサ制御装置の起動制御を最適に行うことができるので、ヒートポンプ、温水暖房装置などに有効に利用することができる。
【符号の説明】
【００６５】
１ａ、１ｂ  空気調和機
３  ＤＣ電源装置
５  ＩＰＭ（Intelligent Power Module）
７  モータ
９  コンプレッサ
１０  負荷状態判定部
１１  タイマ（計時手段）
１２  冷媒温度推定部
１３ａ、１３ｂ  シャント抵抗
１５ｖ、１５ｗ  ＣＴセンサ
１６  誘起電圧検出部（回転子位置検出部）
１７、１７Ｂ  マイコン（コンプレッサ制御装置、制御部）
１７ａ１、１７ａ２  電流検出部
１７ｂ  電流制御部
１７ｃ  電圧指令演算部
１７ｄ  ＰＷＭ制御部
１８  起動制御量演算部
１９ａ  位置決め制御部
１９ｂ  Ｖ／ｆ制御部
１９ｃ  ベクトル制御部
【図１】
0006007461.tif 000002
【図２】
0006007461.tif 000003
【図３】
0006007461.tif 000004
【図４】
0006007461.tif 000005
【図５】
0006007461.tif 000006
【図６】
0006007461.tif 000007
【図７】
0006007461.tif 000008
【図８】
0006007461.tif 000009
【図９】
0006007461.tif 000010
【図１０】
0006007461.tif 000011